(57)【要約】本開示は、キャリアアグリゲーションにおけるダウンリンク割当てインデックス（ＤＡＩ）管理のための技法に関する様々な態様を説明する。一態様では、ユーザ機器が、コードワードまたはＤＬ割当ての総数を示すＤＡＩを受信する方法が提供される。この方法は、ＤＡＩが基地局からＤＬグラントにおいて受信されたかアップリンク（ＵＬ）グラントにおいて受信されたかに少なくとも基づいて、基地局から受信されたＤＡＩを解釈することをさらに含み得る。別の態様では、基地局が、ＤＡＩをＤＬグラントにおいて送信するかアップリンク（ＵＬ）グラントにおいて送信するかを決定し、この決定に基づいて、１つまたは複数のユーザ機器（ＵＥ）にＤＬグラントまたはＵＬグラントにおいてＤＡＩを送信する方法が提供される。【選択図】図８
2018535604.tif 000002
【特許請求の範囲】
【請求項１】
拡張キャリアアグリゲーション（ｅＣＡ）におけるダウンリンク（ＤＬ）割当てインデックス（ＤＡＩ）管理の方法であって、
ユーザ機器（ＵＥ）においておよび基地局から、コードワードまたはＤＬ割当ての総数を示すＤＡＩを受信することと、
前記ＤＡＩが前記基地局からＤＬグラントにおいて受信されたかアップリンク（ＵＬ）グラントにおいて受信されたかに少なくとも基づいて、前記ＵＥにおいて、前記基地局から受信された前記ＤＡＩを解釈することと、
を備える方法。
【請求項２】
前記ＤＡＩは、前記ＤＬグラントにおいて前記基地局から受信される、請求項１に記載の方法。
【請求項３】
前記ＤＡＩは、周波数および時間の両方の上のコードワードまたはＤＬ割当ての総数を示す、請求項２に記載の方法。
【請求項４】
前記ＤＡＩのビット幅は、少なくとも２ビットである、請求項２に記載の方法。
【請求項５】
前記ＤＬグラント中の前記ＤＡＩの存在は、前記ｅＣＡ中のキャリアの数に依存する、請求項２に記載の方法。
【請求項６】
前記ＤＡＩは、前記ｅＣＡ中の前記キャリアの数が５より大きいときにだけ存在する、請求項２に記載の方法。
【請求項７】
複数の物理アップリンク制御チャネル（ＰＵＣＣＨ）グループを識別することと、
前記複数のＰＵＣＣＨグループの各々について別個に前記ＤＡＩを解釈することと、
をさらに備える、請求項２に記載の方法。
【請求項８】
前記ＤＡＩは、前記ｅＣＡが周波数分割複信（ＦＤＤ）キャリアだけを含むとき、前記ＵＬグラントに含まれない、請求項２に記載の方法。
【請求項９】
前記ＤＡＩは、前記ＵＬグラントにおいて前記基地局から受信され、前記ｅＣＡは、少なくとも１つの時分割複信（ＴＤＤ）キャリアを含み、前記ＤＡＩは、前記ｅＣＡの少なくとも１つのキャリアについて、時間上の前記コードワードまたはＤＬ割当ての総数を示す、請求項１に記載の方法。
【請求項１０】
前記ＤＡＩは、前記ｅＣＡのそれぞれのキャリアごとの、時間上のコードワードまたはＤＬ割当ての総数の最大値を示す、請求項９に記載の方法。
【請求項１１】
前記ＤＡＩは、前記ＵＬグラントにおいて前記基地局から受信され、前記ｅＣＡは、周波数分割複信（ＦＤＤ）キャリアおよび時分割複信（ＴＤＤ）キャリアの両方を含み、前記ＤＡＩは、ＴＤＤキャリアが物理アップリンク制御チャネル（ＰＵＣＣＨ）セルとして構成されるとき、前記ＵＬグラントにおける２ビットＤＡＩである、請求項１に記載の方法。
【請求項１２】
拡張キャリアアグリゲーション（ｅＣＡ）におけるダウンリンク（ＤＬ）割当てインデックス（ＤＡＩ）管理のための装置であって、
ユーザ機器（ＵＥ）においておよび基地局から、コードワードまたはＤＬ割当ての総数を示すＤＡＩを受信するための手段と、
前記ＤＡＩが前記基地局からＤＬグラントにおいて受信されたかアップリンク（ＵＬ）グラントにおいて受信されたかに少なくとも基づいて、前記ＵＥにおいて、前記基地局から受信された前記ＤＡＩを解釈するための手段と、
を備える装置。
【請求項１３】
前記ＤＡＩは、前記ＤＬグラントにおいて前記基地局から受信される、請求項１２に記載の装置。
【請求項１４】
前記ＤＡＩは、周波数および時間の両方の上のコードワードまたはＤＬ割当ての総数を示す、請求項１３に記載の装置。
【請求項１５】
前記ＤＡＩのビット幅は、少なくとも２ビットである、請求項１３に記載の装置。
【請求項１６】
前記ＤＬグラント中の前記ＤＡＩの存在は、前記ｅＣＡ中のキャリアの数に依存する、請求項１３に記載の装置。
【請求項１７】
前記ＤＡＩは、前記ｅＣＡ中の前記キャリアの数が５より大きいときにだけ存在する、請求項１３に記載の装置。
【請求項１８】
複数の物理アップリンク制御チャネル（ＰＵＣＣＨ）グループを識別するための手段と、
前記複数のＰＵＣＣＨグループの各々について別個に前記ＤＡＩを解釈するための手段と、
をさらに備える、請求項１３に記載の装置。
【請求項１９】
前記ＤＡＩは、前記ｅＣＡが周波数分割複信（ＦＤＤ）キャリアだけを含むとき、前記ＵＬグラントに含まれない、請求項１３に記載の装置。
【請求項２０】
前記ＤＡＩは、前記ＵＬグラントにおいて前記基地局から受信され、前記ｅＣＡは、少なくとも１つの時分割複信（ＴＤＤ）キャリアを含み、前記ＤＡＩは、前記ｅＣＡの少なくとも１つのキャリアについて、時間上の前記コードワードまたはＤＬ割当ての総数を示す、請求項１２に記載の装置。
【請求項２１】
前記ＤＡＩは、前記ｅＣＡのそれぞれのキャリアごとの、時間上のコードワードまたはＤＬ割当ての総数の最大値を示す、請求項２０に記載の装置。
【請求項２２】
前記ＤＡＩは、前記ＵＬグラントにおいて前記基地局から受信され、前記ｅＣＡは、周波数分割複信（ＦＤＤ）キャリアおよび時分割複信（ＴＤＤ）キャリアの両方を含み、前記ＤＡＩは、ＴＤＤキャリアが物理アップリンク制御チャネル（ＰＵＣＣＨ）セルとして構成されるとき、前記ＵＬグラントにおける２ビットＤＡＩである、請求項１２に記載の装置。
【請求項２３】
拡張キャリアアグリゲーション（ｅＣＡ）におけるダウンリンク（ＤＬ）割当てインデックス（ＤＡＩ）管理のための装置であって、
データを記憶するように構成されたメモリと、
前記メモリと通信可能に結合された１つまたは複数のプロセッサと、
を備え、前記１つまたは複数のプロセッサおよび前記メモリは、
ユーザ機器（ＵＥ）においておよび基地局から、コードワードまたはＤＬ割当ての総数を示すＤＡＩを受信することと、
前記ＤＡＩが基地局からＤＬグラントにおいて受信されたかアップリンク（ＵＬ）グラントにおいて受信されたかに少なくとも基づいて、前記ＵＥにおいて、前記基地局から受信された前記ＤＡＩを解釈することと、
を行うように構成される、装置。
【請求項２４】
前記１つまたは複数のプロセッサおよび前記メモリは、前記ＤＬグラントにおいて前記基地局から前記ＤＡＩを受信するようにさらに構成される、請求項２３に記載の装置。
【請求項２５】
前記１つまたは複数のプロセッサおよび前記メモリは、前記ｅＣＡ中のキャリアの数が５より大きいとき、前記ＤＬグラントにおいて前記ＤＡＩを受信するようにさらに構成される、請求項２４に記載の装置。
【請求項２６】
前記１つまたは複数のプロセッサおよび前記メモリは、
複数の物理アップリンク制御チャネル（ＰＵＣＣＨ）グループを識別することと、
前記複数のＰＵＣＣＨグループの各々について別個に前記ＤＡＩを解釈することと、
を行うようにさらに構成される、請求項２４に記載の装置。
【請求項２７】
前記ＤＡＩは、前記ＵＬグラントにおいて前記基地局から受信され、前記ｅＣＡは、少なくとも１つの時分割複信（ＴＤＤ）キャリアを含み、前記ＤＡＩは、前記ｅＣＡの少なくとも１つのキャリアについて、時間上の前記コードワードまたはＤＬ割当ての総数を示す、請求項２３に記載の装置。
【請求項２８】
拡張キャリアアグリゲーション（ｅＣＡ）におけるダウンリンク（ＤＬ）割当てインデックス（ＤＡＩ）管理の方法であって、
基地局において、ＤＡＩをＤＬグラントにおいて送信するかアップリンク（ＵＬ）グラントにおいて送信するかを決定することと、ここにおいて、前記ＤＡＩは、コードワードまたはＤＬ割当ての総数を示し、
前記決定に応答して、前記基地局から、１つまたは複数のユーザ機器（ＵＥ）に前記ＤＬグラントまたは前記ＵＬグラントにおいて前記ＤＡＩを送信することと、
を備える方法。
【発明の詳細な説明】
【優先権の主張】
【０００１】
[0001]本願は、譲受人に譲渡され、これにより本明細書に参照によって明確に組み込まれる、２０１６年１１月１４日に出願された、「Techniques for Downlink Assignment Index (DAI) Management in Carrier Aggregation」と題する米国非仮特許出願第１５／３５０，９８８号および２０１５年１１月１６日に出願された、「Techniques for Downlink Assignment Index (DAI) Management in Carrier Aggregation」と題する米国仮出願第６２／２５５，８９０号に対する優先権を主張する。
【技術分野】
【０００２】
[0002]本開示の態様は一般に、遠距離通信（telecommunications）に関し、より具体的には、キャリアアグリゲーションにおけるダウンリンク割当てインデックス（ＤＡＩ）管理のための技法に関する。
【背景技術】
【０００３】
[0003]ワイヤレス通信ネットワークは、音声、ビデオ、パケットデータ、メッセージング、ブロードキャスト、等の、様々な通信サービスを提供するために広く展開されている。これらワイヤレスネットワークは、利用可能なネットワークリソースを共有することで複数のユーザをサポートする能力がある多元接続ネットワークであり得る。このような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および単一キャリアＦＤＭＡ（ＳＣ−ＦＤＭＡ）ネットワークが含まれる。
【０００４】
[0004]ワイヤレス通信ネットワークは、多くのユーザ機器（ＵＥ）のために通信をサポートすることができる多くの基地局（たとえば、ｅノードＢまたはｅＮＢ）を含み得る。ＵＥは、ダウンリンクおよびアップリンクを介して基地局と通信し得る。ダウンリンク（すなわち、順方向リンク）は、基地局からＵＥへの通信リンクを指し、アップリンク（すなわち、逆方向リンク）は、ＵＥから基地局への通信リンクを指す。
【０００５】
[0005]ロングタームエボリューション（ＬＴＥ（登録商標））にあるような、いくつかのワイヤレス通信ネットワークでは、たとえば、ダウンリンク割当てインデックス（ＤＡＩ）は、ＵＥがｅＮＢへの確認応答／否定確認応答（ＡＣＫ／ＮＡＣＫ）フィードバックをバンドルするハイブリッド自動再送要求（ＨＡＲＱ）オペレーションの一環として発生し得るＡＣＫ／ＮＡＣＫエラーを防ぐためにＵＥにｅＮＢによって通信され得る。キャリアアグリゲーションのために複数のコンポーネントキャリア（ＣＣ）がサポートされるシステムにおけるＤＡＩの使用は、特に、サポートされるコンポーネントキャリアの数が増加するにつれ、いくつかの課題（challenges）を提示し得る。したがって、広範囲のキャリアアグリゲーションシナリオにおいてＤＡＩの使用を可能にするメカニズムを有することが望まれる。
【発明の概要】
【０００６】
[0006]以下に、１つまたは複数の態様の基本的な理解を提供するために、そのような態様の簡略化された概要を提示する。この概要は、意図される全ての態様の広範な概観ではなく、また、全ての態様の主要または重要な要素を識別するようにも、任意または全ての態様の範囲を線引きするようにも意図されない。その唯一の目的は、後に提示されるより詳細な説明への前置きとして、１つまたは複数の態様のいくつかのコンセプトを簡略化された形式で提示することである。
【０００７】
[0007]一例によれば、拡張キャリアアグリゲーション（ｅＣＡ）におけるダウンリンク（ＤＬ）割当てインデックス（ＤＡＩ）管理のための方法が提供される。例となる方法は、ユーザ機器（ＵＥ）においておよび基地局から、コードワードまたはＤＬ割当ての総数を示すＤＡＩを受信することと、ＤＡＩが基地局からＤＬグラントにおいて受信されたか、またはアップリンク（ＵＬ）グラントにおいて受信されたか、に少なくとも基づいて、ＵＥにおいて、基地局から受信されたＤＡＩを解釈することとを含み得る。
【０００８】
[0008]別の例では、拡張キャリアアグリゲーション（ｅＣＡ）におけるダウンリンク（ＤＬ）割当てインデックス（ＤＡＩ）管理のための装置が提供される。例となる装置は、ユーザ機器（ＵＥ）においておよび基地局から、コードワードまたはＤＬ割当ての総数を示すＤＡＩを受信するための手段と、ＤＡＩが基地局からＤＬグラントにおいて受信されたか、またはアップリンク（ＵＬ）グラントにおいて受信されたか、に少なくとも基づいて、ＵＥにおいて、基地局から受信されたＤＡＩを解釈するための手段とを含み得る。
【０００９】
[0009]さらなる例では、拡張キャリアアグリゲーション（ｅＣＡ）におけるダウンリンク（ＤＬ）割当てインデックス（ＤＡＩ）管理のための装置が提供され、この装置は、データを記憶するように構成されたメモリと、このメモリと通信的に結合された１つまたは複数のプロセッサとを含み得、ここにおいて、１つまたは複数のプロセッサおよびメモリは、ユーザ機器（ＵＥ）においておよび基地局から、コードワードまたはＤＬ割当ての総数を示すＤＡＩを受信することと、ＤＡＩが基地局からＤＬグラントにおいて受信されたか、またはアップリンク（ＵＬ）グラントにおいて受信されたか、に少なくとも基づいて、ＵＥにおいて、基地局から受信されたＤＡＩを解釈することと、を行うように構成される。
【００１０】
[0010]追加的に、別の例では、拡張キャリアアグリゲーション（ｅＣＡ）におけるダウンリンク（ＤＬ）割当てインデックス（ＤＡＩ）管理のためのコンピュータ実行可能なコードを記憶したコンピュータ読取可能な媒体が提供される。コンピュータ読取可能な媒体は、ユーザ機器（ＵＥ）においておよび基地局から、コードワードまたはＤＬ割当ての総数を示すＤＡＩを受信するためのコードと、ＤＡＩが基地局からＤＬグラントにおいて受信されたか、またはアップリンク（ＵＬ）グラントにおいて受信されたか、に少なくとも基づいて、ＵＥにおいて、基地局から受信されたＤＡＩを解釈するためのコードとを含む。
【００１１】
[0011]別の例によれば、拡張キャリアアグリゲーション（ｅＣＡ）におけるダウンリンク（ＤＬ）割当てインデックス（ＤＡＩ）管理のための方法が提供される。例となる方法は、基地局において、ＤＡＩをＤＬグラントにおいて送信するかアップリンク（ＵＬ）グラントにおいて送信するかを決定することと、ここにおいて、ＤＡＩは、コードワードまたはＤＬ割当ての総数を示し、この決定に基づいて、基地局から、１つまたは複数のユーザ機器（ＵＥ）にＤＬグラントまたはＵＬグラントにおいてＤＡＩを送信することとを含む。
【００１２】
[0012]別の例では、拡張キャリアアグリゲーション（ｅＣＡ）におけるダウンリンク（ＤＬ）割当てインデックス（ＤＡＩ）管理のための装置が提供される。例となる装置は、基地局において、ＤＡＩをＤＬグラントにおいて送信するかアップリンク（ＵＬ）グラントにおいて送信するかを決定するための手段と、ここにおいて、ＤＡＩは、コードワードまたはＤＬ割当ての総数を示し、この決定に基づいて、基地局から、１つまたは複数のユーザ機器（ＵＥ）にＤＬグラントまたはＵＬグラントにおいてＤＡＩを送信するための手段とを含み得る。
【００１３】
[0013]さらなる例では、拡張キャリアアグリゲーション（ｅＣＡ）におけるダウンリンク（ＤＬ）割当てインデックス（ＤＡＩ）管理のための装置が提供され、この装置は、データを記憶するように構成されたメモリと、このメモリと通信的に結合された１つまたは複数のプロセッサとを含み得、ここにおいて、１つまたは複数のプロセッサおよびメモリは、基地局において、ＤＡＩをＤＬグラントにおいて送信するかアップリンク（ＵＬ）グラントにおいて送信するかを決定することと、ここにおいて、ＤＡＩは、コードワードまたはＤＬ割当ての総数を示し、この決定に基づいて、基地局から、１つまたは複数のユーザ機器（ＵＥ）にＤＬグラントまたはＵＬグラントにおいてＤＡＩを送信することと、を行うように構成される。
【００１４】
[0014]追加的に、別の例では、拡張キャリアアグリゲーション（ｅＣＡ）におけるダウンリンク（ＤＬ）割当てインデックス（ＤＡＩ）管理のためのコンピュータ実行可能なコードを記憶したコンピュータ読取可能な媒体が提供され、このコンピュータ読取可能な媒体は、基地局において、ＤＡＩをＤＬグラントにおいて送信するかアップリンク（ＵＬ）グラントにおいて送信するかを決定するためのコードと、ここにおいて、ＤＡＩは、コードワードまたはＤＬ割当ての総数を示し、この決定に基づいて、基地局から、１つまたは複数のユーザ機器（ＵＥ）にＤＬグラントまたはＵＬグラントにおいてＤＡＩを送信するためのコードと、を含み得る。
【００１５】
[0015]本開示の様々な態様および特徴は、添付の図面に示されるように、それらの様々な例を参照して以下にさらに詳細に説明される。本開示は、様々な例を参照して以下に説明されるが、本開示がそれらに限定されないことは理解されるべきである。本明細書の教示にアクセスできる当業者であれば、本明細書で説明されるような本開示の範囲内にあり、それに関して本開示は大いに有用であり得る追加のインプリメンテーション、修正、および例に加え、他の使用分野を認識することとなる。
【００１６】
[0016]本開示の特徴、性質、および利点は、同様の参照文字が全体にわたって相応に識別する図面、ここで、破線がオプションのコンポーネントまたはアクションを示し得る、と共に考慮されたとき、以下に示される詳細な説明からより明らかになるであろう。
【図面の簡単な説明】
【００１７】
【図１】図１は、本開示の様々な態様にかかる、ワイヤレス通信システムの例を概念的に例示する概略図である。
【図２】図２は、本開示の様々な態様にかかる、キャリアアグリゲーションを概念的に例示する概略図である。
【図３】図３は、本開示の様々な態様にかかる、ＵＥおよびこのＵＥのＤＡＩマネジャの態様を概念的に例示するブロック図である。
【図４】図４は、本開示の様々な態様にかかる、ＵＥおよびこのＵＥのＤＡＩマネジャの態様を概念的に例示するブロック図である。
【図５】図５は、本開示の様々な態様にかかる、ＨＡＲＱペイロードサイズ選択に使用されるセットおよびテーブルを概念的に例示する概略図である。
【図６】図６は、本開示の様々な態様にかかる、ｅＮＢおよびこのｅＮＢのＤＡＩマネジャの態様を概念的に例示するブロック図である。
【図７】図７は、本開示の様々な態様にかかる、ｅＮＢおよびこのｅＮＢのＤＡＩマネジャの態様を概念的に例示するブロック図である。
【図８】図８は、本開示の様々な態様にかかる、拡張キャリアアグリゲーションにおけるＤＡＩ管理のための方法の例を概念的に例示するフロー図である。
【図９】図９は、本開示の様々な態様にかかる、拡張キャリアアグリゲーションにおけるＤＡＩ管理のための方法の例を概念的に例示するフロー図である。
【発明の詳細な説明】
【００１８】
[0023]添付の図面に関連して以下に示される詳細な説明は、様々な構成の説明として意図されるものであり、本明細書で説明されるコンセプトが実施され得る唯一の構成を表すよう意図されるものではない。詳細な説明は、様々なコンセプトの完全な理解を提供するために特定の詳細を含む。しかしながら、これらのコンセプトがこれらの特定の詳細なしに実施され得ることは、当業者に明らかになるであろう。いくつかの事例では、そのようなコンセプトをあいまいにしないために、周知のコンポーネントがブロック図の形式で示される。ある態様では、本明細書で使用される場合、「コンポーネント」とうい用語は、システムを構成するパーツのうちの１つであり得、ハードウェアまたはソフトウェアであり得、複数の他のコンポーネントに分割され得る。
【００１９】
[0024]本態様は一般に、キャリアアグリゲーション（ＣＡ）におけるダウンリンク割当てインデックス（ＤＡＩ）管理に関し、具体的には、より大きい数のコンポーネントキャリア（ＣＣ）またはセルがサポートされているキャリアアグリゲーションシナリオ（たとえば、拡張キャリアアグリゲーションまたはｅＣＡ）に関する。本開示全体にわたって、コンポーネントキャリアおよびセルという用語は交換して使用され得る。（たとえば、ＬＴＥ Ｒｅｌ−１２における）いくつかのインプリメンテーションでは、ＵＥは、キャリアアグリゲーションのために最大５つのコンポーネントキャリア（ＣＣ）をサポートするように構成され得る。たとえば、各コンポーネントキャリアは、最大２０ＭＨｚで構成され得、下位互換性があり得る（したがって、ＵＥは、最大１００ＭＨｚをサポートするように構成され得る）。キャリアアグリゲーションでは、時々セルと呼ばれ得る全てのコンポーネントキャリアは、周波数分割複信（ＦＤＤ）または時分割複信（ＴＤＤ）でオペレートするか、ＦＤＤおよびＴＤＤの組合せまたは混合でオペレートし得る。いくつかの事例では、ＴＤＤにおけるコンポーネントキャリアは、同じまたは異なるダウンリンク（ＤＬ）およびアップリンク（ＵＬ）構成を有し得る。加えて、スペシャルサブフレームもまた、異なるＴＤＤコンポーネントキャリアに対して異なって構成され得る。
【００２０】
[0025]現在のインプリメンテーションに関する別の態様では、１つのコンポーネントキャリアが、ＵＥのためのプライマリコンポーネントキャリア（ＰＣＣ）として構成され得る。ＰＣＣは、ＵＥのための物理アップリンク制御チャネル（ＰＵＣＣＨ）および共通探索空間を搬送するように構成された唯一のコンポーネントキャリアである。全ての他のまたは残りのコンポーネントキャリアは、セカンダリコンポーネントキャリア（ＳＣＣ）と称される。これらのインプリメンテーションでは、キャリアアグリゲーションのために、２つのコンポーネントキャリア上で１つのＵＥのためのＰＵＣＣＨを可能にする（enabling）という選択（adoption）はされてこなかった。このようなスキームでは、ＰＣＣの他に、セカンダリコンポーネントキャリアまたはセルのうちの１つも、同じく、ＰＵＣＣＨを搬送し得る。このアプローチは、デュアル接続性およびＰＵＣＣＨ負荷バランシングの必要性によって少なくとも部分的に動機付けられる。
【００２１】
[0026]いくつかのケースでは、コンポーネントキャリアは、理想的なバックホール性能を有さない可能性があり、その結果、限られたバックホール容量と無視できないほどのバックホールレイテンシ（たとえば、数十ミリ秒）とにより、様々なコンポーネントキャリア間の極めて厳しい（tight）調整ができないであろう。したがって、上記シナリオに対処するために最近（たとえば、ＬＴＥ Ｒｅｌ−１２）デュアル接続性のコンセプトが取り入れられた。デュアル接続性では、コンポーネントキャリアまたはセルは、プライマリセルグループ（ＰＣＧ）およびセカンダリセルグループ（ＳＣＧ）という２つのグループへと区分され得る。これらのグループの各々は、キャリアアグリゲーションにおいて１つまたは複数のセルを有し得る。加えて、これらのグループの各々は、ＰＵＣＣＨを搬送する単一のセルを有し得る。たとえば、ＰＣＧ中の１つのプライマリセルが、当該ＰＣＧのためのＰＵＣＣＨを搬送し、ＳＣＧ中の１つのセカンダリセルが、当該ＳＣＧのためのＰＵＣＣＨを搬送し、これは、ｐＳｃｅｌｌとも呼ばれる。共通探索空間もまた、ＵＥによってＳＣＧにおいて追加でモニタされる。アップリンク制御情報（ＵＣＩ）は、各グループにおけるＰＵＣＣＨを介して各グループに別個に伝達され得る。さらに、半静的スケジュール（ＳＰＳ）およびスケジュール要求（ＳＲ）は、ＰＳＧにおいてサポートされるだけでなく、ＳＣＧにおいてもサポートされる。
【００２２】
[0027]現在の取組み（たとえば、ＬＴＥ Ｒｅｌ−１３）では、拡張キャリアアグリゲーション（ｅＣＡ）を可能にするために、５つのコンポーネントキャリアを超えてコンポーネントキャリアの数を増加させようと努力（push）している。たとえば、アップリンクキャリアアグリゲーションをサポートするＵＥのためのセカンダリセル（ＳＣｅｌｌ）上のＰＵＣＣＨが現在可能となり得る。加えて、ダウンリンクおよびアップリンクに対して最大３２個のコンポーネントキャリアのＬＴＥキャリアアグリゲーションを可能にするのに必要なメカニズムに基づいて、Ｓｃｅｌｌ上のＰＵＣＣＨについての物理レイヤ規格が開発され得る。そのようなメカニズムは、もしあれば、自己スケジュールおよびクロスキャリアスケジュールの両方を含む最大３２個のコンポーネントキャリアのためのダウンリンク制御シグナリングへの拡張と、最大３２個のコンポーネントキャリアのためのアップリンク制御シグナリングへの拡張とを含み得る。アップリンク制御シグナリングへの拡張は、ＵＣＩフィードバックシグナリングフォーマットへの必要な拡張を特定することで、最大３２個のダウンリンクキャリアのためにＰＵＣＣＨ上でＵＣＩフィードバックをサポートするための拡張と、最大３２個のダウンリンクキャリアのために物理アップリンク共有チャネル（ＰＵＳＣＨ）上でＵＣＩフィードバックをサポートするための拡張とを伴い得る。
【００２３】
[0028]コンポーネントキャリアの数を増加させるためのこれらの取組みは、ＨＡＲＱフィードバックのためのダウンリンク割当てインデックス（ＤＡＩ）の使用も考慮に入れる必要がある。ＴＤＤでは、たとえば、複数のダウンリンク（ＤＬ）サブフレームが、ＨＡＲＱフィードバックのために同じアップリンク（ＵＬ）サブフレームに関連付けられ得る。ＡＣＫ／ＮＡＣＫフィードバックをより効率的に提供するために、ＴＤＤでは、２ビットＤＡＩが、ＤＬグラントおよびＵＬグラントに含まれ得る。ＤＬグラントに含まれるとき、２ビットのＤＬ ＤＡＩは、ＤＬ割当ての累積数を示し得る。ＵＬグラントに含まれるとき、２ビットのＵＬ ＤＡＩは、ＤＬ割当ての総数を示し得る。ＵＥは、示されたトータル（total:総）ＤＡＩに基づいて、フィードバックのためのＡＣＫ／ＮＡＣＫビット数を決定し、示された累積ＤＡＩに基づいて、同じＵＬサブフレームに関連付けられた異なるＤＬサブフレームのＡＣＫ／ＮＡＣＫビットを順序付け得る。
【００２４】
[0029]キャリアアグリゲーションを伴うＴＤＤでは、ＵＬ ＤＡＩは、サポートされている複数のコンポーネントキャリアのうちの任意のものにおいてスケジュールされるＤＬサブフレームの最大数を示すために使用され得る。たとえば、２つのコンポーネントキャリア（すなわち、ＣＣ１およびＣＣ２）が使用されており、ＤＬ ＣＣ１およびＤＬ ＣＣ２が両方とも、同じＵＬサブフレームに関連付けられた４つのＤＬサブフレームを有する場合、ＣＣ１中のＤＬサブフレームのうちの３つだけがスケジュールされ、ＣＣ２中のＤＬサブフレームのうちの２つだけがスケジュールされるとき、トータルＤＡＩ（total DAI）は、これら２つのコンポーネントキャリアの各々中のスケジュールされたＤＬサブフレームの最大数を表す３の値を示し得る。
【００２５】
[0030]しかしながら、ＦＤＤの場合、キャリアアグリゲーションを伴うＦＤＤ下であっても、ＤＡＩは含まれ得ない。キャリアアグリゲーションを伴うＦＤＤにおけるＤＡＩの使用は、たとえば、ＴＤＤにあるような時間ドメインにおいてＤＬ割当ての数をカウントする代わりに、ＦＤＤにおけるＤＡＩが、スケジュールされるコードワードまたはコンポーネントキャリアの数を反映するコンポーネントキャリアドメイン（たとえば、周波数ドメイン）においてカウントし得るため、有益であり得る。
【００２６】
[0031]キャリアアグリゲーションを伴うＦＤＤおよびＴＤＤの両方について、ＴＤＤコンポーネントキャリアがＰＵＣＣＨを搬送するために使用される（ゆえに、ＴＤＤコンポーネントキャリアは、プライマリセルまたはプライマリセカンダリセルである）とき、ＤＡＩが、（セカンダリセルとしての）ＦＤＤコンポーネントキャリアのためのＤＬグラントおよびＵＬグラントに対して追加され得る。換言すると、ＦＤＤ Ｓｃｅｌｌダウンリンク制御情報（ＤＣＩ）フォーマットは、ＴＤＤがプライマリセルまたはプライマリセカンダリセルであるときのＴＤＤ類似（TDD-like）ＤＣＩフォーマットに適合され得る。同様に、ＴＤＤ Ｓｃｅｌｌダウンリンク制御情報（ＤＣＩ）フォーマットは、ＦＤＤがプライマリセルまたはプライマリセカンダリセルであるときのＦＤＤ類似（TDD-like）ＤＣＩフォーマットに適合され得る。
【００２７】
[0032]拡張キャリアアグリゲーションの場合、コンポーネントキャリアの増加した数のために、ＵＥが全てのＦＤＤコンポーネントキャリアを有する場合であってもまたはＦＤＤセルがプライマリセルまたはプライマリセカンダリセルであるときでさえ、ＤＡＩは、ＦＤＤコンポーネントキャリアおよびＴＤＤコンポーネントキャリアの両方において使用されることとなる。ＤＡＩが拡張キャリアアグリゲーションに対して定義されることとなる方法（manner）はいまだ定められてない。したがって、本開示の態様は、拡張キャリアアグリゲーションにおいてＤＡＩを使用するかまたはその使用を管理するための様々な技法またはスキームの詳細を提供する。これらの態様のうちのいくつかは、最初に周波数（ＣＣ）次に時間という方法でカウントされる累積ＤＡＩが使用されるときでさえＤＬグラントへのトータルＤＡＩの導入という問題に取り組む。他の問題は、ＤＬグラント中のＤＡＩのためのビット数を含み得る。一例では、累積ＤＡＩの場合、２ビットの代わりに、３ビット、４ビット、または５ビットを使用すること、または、設定（configured）コンポーネントキャリアの数に依存してビット数を有する（たとえば、６−１６ＣＣ，３ビット＞１６ＣＣ，４ビット）ことが可能であり得る。別の例では、トータルＤＡＩの場合、ビット数は、２ビットまたは３ビットであり得る。本明細書で説明される様々な態様によって取り組まれている別の問題は、トータルＤＡＩがすでにＤＬグラントに導入されているケースでの、ＦＤＤキャリアアグリゲーション下でのＵＬグラントへのＤＡＩの導入である。
【００２８】
[0033]本明細書で説明される技法は、上述されたワイヤレスネットワークおよび無線技術に加えて、他のワイヤレスネットワークおよび無線技術に対して使用され得る。明瞭さのために、本技法の特定の態様は、以下でＬＴＥに関して説明され、ＬＴＥ用語が以下の説明の大部分で使用される。
【００２９】
[0034]図１は、本開示のある態様にかかる、ワイヤレス通信システム１００の例を概念的に例示する概略図である。ワイヤレス通信システム１００は、基地局（または、セル）１０５、ユーザ機器（ＵＥ）１１５、およびコアネットワーク１３０を含む。１つまたは複数の基地局１０５は、本明細書で説明するように、ネットワークデバイスにおいて、拡張キャリアアグリゲーション（ｅＣＡ）におけるＤＡＩ管理のための通信コンポーネント６３０（図６参照）を含み得る。１つまたは複数のＵＥ１１５は、本明細書で説明するように、ｅＣＡにおけるＤＡＩ管理のための通信コンポーネント３３０（図３参照）を含み得る。基地局１０５は、様々な実施形態ではコアネットワーク１３０または基地局１０５の一部であり得る、基地局コントローラ（図示されない）の制御下でＵＥ１１５と通信し得る。基地局１０５は、第１のバックホールリンク１３２を通してコアネットワーク１３０と制御情報および／またはユーザデータを通信し得る。複数の実施形態では、基地局１０５は、直接的にまたは間接的に、ワイヤードまたはワイヤレス通信リンクであり得る第２のバックホールリンク１３４上で互いに通信し得る。ワイヤレス通信システム１００は、複数のキャリア（異なる周波数の波形信号）上でのオペレーションをサポートし得る。マルチキャリア送信機は、複数のキャリア上で同時に変調信号を送信することができる。たとえば、各通信リンク１２５は、上で説明した様々な無線技術にしたがって変調されたマルチキャリア信号であり得る。変調された各信号は、異なるキャリア上で送られ得、制御情報（たとえば、基準信号、制御チャネル、等）、オーバヘッド情報、データ、等を搬送し得る。ワイヤレス通信システム１００はまた、同時に複数のフロー上でのオペレーションをサポートし得る。いくつかの態様では、複数のフローは、複数のワイドエリアネットワーク（ＷＷＡＮ）またはセルラフローに対応し得る。他の態様では、複数のフローは、ＷＷＡＮまたはセルラフローと、ワイヤレスローカルエリアネットワーク（ＷＬＡＮ）またはＷｉ−Ｆｉフローとの組合せに対応し得る。
【００３０】
[0035]基地局１０５は、１つまたは複数の基地局アンテナを介してＵＥ１１５とワイヤレスに通信し得る。基地局１０５サイト（site）の各々は、それぞれの地理的なカバレッジエリア１１０に通信カバレッジを提供し得る。いくつかの実施形態では、基地局１０５は、トランシーバ基地局、無線基地局、アクセスポイント、無線トランシーバ、基本サービスセット（ＢＳＳ）、拡張サービスセット（ＥＳＳ）、ノードＢ、ｅノードＢ、ｅＮＢ、ホームノードＢ、ホームｅノードＢ、または何らかの他の適切な用語で呼ばれ得る。基地局１０５のための地理的カバレッジエリア１１０は、このカバレッジエリアの一部だけを構成するセクタ（図示されない）分割され得る。ワイヤレス通信システム１００は、異なるタイプの基地局１０５（たとえば、マクロ、マイクロ、および／またはピコ基地局）を含み得る。異なる技術のためのカバレッジエリアが重複し得る。一般に、基地局１０５−ａは、ＷＷＡＮ（たとえば、ＬＴＥまたはＵＭＴＳマクロセル、ピコセル、フェムトセル、等の基地局）に対応する基地局であり得る。しかしながら、単一の基地局１０５が、複数のＲＡＴ（たとえば、ＬＴＥとＷｉ−Ｆｉ、ＬＴＥとＵＭＴＳ、ＵＭＴＳとＷｉ−Ｆｉ、等）上での通信をサポートすることができることは認識されるべきである。
【００３１】
[0036]複数のインプリメンテーションでは、ワイヤレス通信システム１００は、ＬＴＥ／ＬＴＥ−Ａネットワーク通信システムである。ＬＴＥ／ＬＴＥ−Ａネットワーク通信システムでは、発展型ＮｏｄｅＢ（ｅノードＢまたはｅＮＢ）という用語が、基地局１０５を説明するために一般に使用され得る。ワイヤレス通信システム１００は、異なるタイプのｅＮＢが様々な地理的領域に対してカバレッジを提供する、異種ＬＴＥ／ＬＴＥ−Ａネットワークであり得る。たとえば、各ｅＮＢ１０５は、マクロセル、ピコセル、フェムトセル、および／または他のタイプのセルのための通信カバレッジを提供し得る。マクロセルは、比較的広い地理的エリア（たとえば、半径数キロメートル）をカバーし得、ネットワークプロバイダにサービス加入しているＵＥ１１５による無制限のアクセスを可能にし得る。ピコセルは、比較的狭い地理的エリア（たとえば、ビル）をカバーし得、ネットワークプロバイダにサービス加入しているＵＥ１１５による無制限のアクセスを可能にし得る。フェムトセルもまた、比較的狭い地理的エリア（たとえば、家）をカバーし得、無制限のアクセスに加えて、このフェムトセルとアソシエーションを有するＵＥ１１５（たとえば、クローズド加入者グループ（ＣＳＧ）中のＵＥ１１５、家の中にいるユーザのためのＵＥ１１５、等）による制限付きアクセスも提供し得る。マクロセルのためのｅＮＢ１０５は、マクロｅノードＢと呼ばれ得る。ピコセルのためのｅＮＢ１０５は、ピコｅノードＢと呼ばれ得る。また、フェムトセルのためのｅＮＢ１０５は、フェムトｅノードＢまたはホームｅノードＢと呼ばれ得る。ｅＮＢ１０５は、１つまたは複数（たとえば、２つ、３つ、４つ、等）のセルをサポートし得る。
【００３２】
[0037]コアネットワーク１３０は、第１のバックホールリンク１３２（たとえば、Ｓ１インターフェース、等）を介してｅＮＢ１０５または他の基地局１０５と通信し得る。ｅＮＢ１０５はまた、第２のバックホールリンク１３４（たとえば、Ｘ２インターフェース、等）を介して、および／または第１のバックホールリンク１３２を介して（たとえば、コアネットワーク１３０を通して）、たとえば、直接的にまたは間接的に互いに通信し得る。ワイヤレス通信システム１００は、同期オペレーションまたは非同期オペレーションをサポートし得る。同期オペレーションの場合、ｅＮＢ１０５は同様のフレームタイミングを有し得、異なるｅＮＢ１０５からの送信は、時間的におおまかにアラインされ得る。非同期オペレーションの場合、ｅＮＢ１０５は異なるフレームタイミングを有し得、異なるｅＮＢ１０５からの送信は時間的にアラインされないことがある。本明細書で説明する技法は、同期オペレーションまたは非同期オペレーションのいずれに対しても使用され得る。
【００３３】
[0038]ＵＥ１１５は、ワイヤレス通信システム１００全体に分散され得、各ＵＥ１１５は、固定式またはモバイルであり得る。ＵＥ１１５は、当業者によって、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語でも呼ばれ得る。ＵＥ１１５は、セルラフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局、等であり得る。ＵＥ１１５は、マクロｅＮＢ、ｅノードＢ、ピコｅノードＢ、フェムトｅノードＢ、中継器、等と通信することが可能であり得る。
【００３４】
[0039]ワイヤレス通信システム１００において示される通信リンク１２５は、ＵＥ１１５からｅＮＢ１０５へのアップリンク（ＵＬ）送信および／またはｅＮＢ１０５からＵＥ１１５へのダウンリンク（ＤＬ）送信を含み得る。ダウンリンク送信は、順方向リンク送信とも呼ばれ得、アップリンク送信は、逆方向リンク送信とも呼ばれ得る。
【００３５】
[0040]ワイヤレス通信システム１００の特定の態様では、ＵＥ１１５は、２つ以上のｅＮＢ１０５とのキャリアアグリゲーション（ＣＡ）をサポートするように構成され得る。キャリアアグリゲーションに対して使用されるｅＮＢ１０５は、コロケートされ得るか、高速接続を通して接続され得る。いずれのケースにおいても、ＵＥ１１５とｅＮＢ１０５との間のワイヤレス通信のためにコンポーネントキャリア（ＣＣ）のアグリゲーションを調整することは、このキャリアアグリゲーションを実行するために使用されている様々なセル間で情報が容易に共有され得るため、より容易に実行され得る。キャリアアグリゲーションに対して使用されるｅＮＢ１０５がコロケートされてない（たとえば、離れているまたはそれらの間に高速接続を有さない）とき、コンポーネントキャリアのアグリゲーションを調整することは、追加の態様を伴い得る。
【００３６】
[0041]図２は、本明細書で説明される態様にかかる、キャリアアグリゲーションを概念的に例示する概略図である。アグリゲーションは、１つまたは複数のコンポーネントキャリア１〜Ｎ（ＣＣ１〜ＣＣＮ）を使用してｅＮＢ１０５−ａ（図１参照）と通信することができるＵＥ１１５−ａ（図１参照）を含むシステム２００において行われ得る。ｅＮＢ１０５−ａは、本明細書で説明するように、キャリアアグリゲーションにおける、特に、拡張キャリアアグリゲーション（ｅＣＡ）におけるＤＡＩ管理のための様々なスキームに関する態様を実行するための通信コンポーネント６３０を含み得る。ＵＥ１１５−ａは、本明細書で説明するように、キャリアアグリゲーションにおける、特に、拡張キャリアアグリゲーションにおけるＤＡＩ管理のための様々なスキームに関する態様を実行するための通信コンポーネント３３０を含み得る。この点について、ＵＥ１１５−ａは、少なくとも、１つのＷＷＡＮ無線アクセス技術（たとえば、ＬＴＥ）をサポートする。１つのＵＥ１１５−ａおよびｅＮＢ１０５−ａしか図２には例示されていないが、システム２００が任意の数のＵＥ１１５−ａおよび／またはｅＮＢ１０５−ａを含むことができることは認識されるであろう。１つの特定の例では、ＵＥ１１５−ａは、別のコンポーネントキャリア２３０上で別のｅＮＢ１０５−ａと通信している間に、１つのＬＴＥコンポーネントキャリア２３０上で１つのｅＮＢ１０５−ａと通信することができる。
【００３７】
[0042]ｅＮＢ１０５−ａは、ＬＴＥコンポーネントキャリアＣＣ１〜ＣＣＮ上の順方向（ダウンリンク）チャネル２３２−１〜２３２−Ｎ上でＵＥ１１５−ａに情報を送信することができる。加えて、ＵＥ１１５−ａは、ＬＴＥコンポーネントキャリアＣＣ１〜ＣＣＮ上の逆方向（アップリンク）チャネル２３４−１〜２３４−Ｎ上でｅＮＢ１０５−ａに情報を送信することができる。ＵＥ１１５−ａおよびｅＮＢ１０５−ａによってサポートされるコンポーネントキャリアの数は、最大３２個のコンポーネントキャリアまたはそれより多いであろう。
【００３８】
[0043]図２および開示される態様のうちのいくつかに関連付けられた他の図の様々なエンティティを説明する際、説明の目的上、３ＧＰＰ（登録商標） ＬＴＥまたはＬＴＥ−Ａワイヤレスネットワークに関連付けられた専門語が使用され得る。しかしながら、システム２００が、ＯＦＤＭＡワイヤレスネットワーク、ＣＤＭＡネットワーク、３ＧＰＰ２ ＣＤＭＡ２０００ネットワーク、等のようなものであるがそれらに限定されない他のネットワークでオペレートすることができることは認識されるべきである。
【００３９】
[0044]マルチキャリアオペレーションでは、異なるＵＥ１１５−ａに関連付けられたダウンリンク制御情報（ＤＣＩ）メッセージが、複数のコンポーネントキャリア上で搬送され得る。たとえば、物理ダウンリンク制御チャネル（ＰＤＣＣＨ）上のＤＣＩは、物理ダウンリンク共有チャネル（ＰＤＳＣＨ）送信のためにＵＥ１１５−ａによって使用されるように構成された同じコンポーネントキャリアに含まれ得る（すなわち、同一キャリアシグナリング）。代替的にまたは追加的に、ＤＣＩは、ＰＤＳＣＨ送信のために使用されるターゲットコンポーネントキャリアとは異なるコンポーネントキャリア上で搬送され得る（すなわち、クロスキャリアシグナリング）。いくつかのインプリメンテーションでは、ＰＤＳＣＨ送信のためのターゲットキャリア以外のキャリアからのＰＤＣＣＨ制御シグナリングの送信を容易にするために、半静的にイネーブルにされ得るキャリアインジケータフィールド（ＣＩＦ）が、いくつかのまたは全てのＤＣＩフォーマットに含まれ得る（クロスキャリアシグナリング）。
【００４０】
[0045]図３は、ある態様での、図１のワイヤレス通信システム１００の一部を表し得るワイヤレス通信システム３００を説明する。ワイヤレス通信システム３００は、少なくとも１つのネットワークエンティティ、この例では、ｅＮＢ１０５−ａ、の通信カバレッジ内に少なくとも１つのＵＥ１１５−ａを含む。ＵＥ１１５−ａは、ｅＮＢ１０５−ａを介してネットワークと通信し得る。すなわち、ＵＥ１１５−ａは、アップリンクデータチャネルおよび／またはダウンリンクデータチャネルであるがそれらに限定されないアップリンク通信チャネル（または、単にアップリンクチャネルまたはアップリンク）およびダウンリンク通信チャネル（または、単にダウンリンクチャネルまたはダウンリンク）を含み得る１つまたは複数の通信リンクまたはチャネル１２５を介して、ｅＮＢ１０５−ａにワイヤレス通信を送信し得、および／または、ｅＮＢ１０５−ａからワイヤレス通信を受信し得る。そのようなワイヤレス通信は、データ、オーディオ、および／またはビデオ情報を含み得るがそれらに限定されない。
【００４１】
[0046]図３を参照すると、本開示にしたがって、ＵＥ１１５−ａは、メモリ３４４と、１つまたは複数のプロセッサ３２０と、トランシーバ３７０とを含み得る。メモリ３４４、１つまたは複数のプロセッサ３２０、およびトランシーバ３７０は、バス３１１を介して内部で通信し得る。いくつかの例では、メモリ３４４および１つまたは複数のプロセッサ３２０は、同じハードウェアコンポーネントの一部であり得る（たとえば、同じ基板（board）、モジュール、または集積回路の一部であり得る）。代替的に、メモリ３４４および１つまたは複数のプロセッサ３２０は、互いに連動し得る別個のコンポーネントであり得る。いくつかの態様では、バス３１１は、ＵＥ１１５−ａの複数のコンポーネントおよびサブコンポーネント間でデータを転送する通信システムであり得る。いくつかの例では、１つまたは複数のプロセッサ３２０は、モデムプロセッサ、ベースバンドプロセッサ、デジタルシグナルプロセッサ、および／または送信プロセッサのうちの任意の１つまたは組合せを含み得る。追加的にまたは代替的に、１つまたは複数のプロセッサ３２０は、本明細書で説明される１つまたは複数の方法、プロシージャ、またはスキームを実行するための通信コンポーネント３３０を含み得るか、その機能性をインプリメントし得る。通信コンポーネント３３０およびそのサブコンポーネントの各々は、ハードウェア、ファームウェア、および／またはソフトウェアを備え得、メモリ３４４（たとえば、コンピュータ読取可能な記憶媒体）に記憶された命令を実行するようにまたはコードを実行するように構成され得る。通信コンポーネント３３０は、図４を参照して以下でより詳細に説明されるＤＡＩマネジャ３３２と、ＵＥ１１５−ａでのＨＡＲＱオペレーションの様々な態様を管理するように構成され得、ＨＡＲＱオペレーションを実行するためにＤＡＩマネジャ３３２と協力および／または調整し得るＨＡＲＱマネジャ３３４とを含み得る。
【００４２】
[0047]いくつかの例では、ＵＥ１１５−ａは、たとえば、本明細書で使用されるデータ、および／または、１つまたは複数のプロセッサ３２０によって実行されている通信コンポーネント３３０および／またはそれのサブコンポーネントのうちの１つまたは複数に関連付けられたアプリケーションのローカルバージョンを記憶するためのメモリ３４４を含み得る。メモリ３４４は、ランダムアクセスメモリ（ＲＡＭ）、読取り専用メモリ（ＲＯＭ）、テープ、磁気ディスク、光ディスク、揮発性メモリ、非揮発性メモリ、およびそれらの任意の組合せのような、コンピュータまたはプロセッサ３２０によって使用可能な任意のタイプのコンピュータ読取可能な媒体を含むことができる。ある態様では、たとえば、メモリ３４４は、ＵＥ１１５−ａが、通信コンポーネント３３０および／またはそのサブコンポーネントのうちの１つまたは複数を実行するためにプロセッサ３２０をオペレートしているとき、通信コンポーネント３３０および／またはそのサブコンポーネントのうちの１つまたは複数を定義する１つまたは複数のコンピュータ実行可能なコードおよび／またはそれらに関連付けられたデータを記憶するコンピュータ読取可能な記憶媒体（たとえば、非一時的な媒体）であり得る。いくつかの例では、ＵＥ１１５−ａは、ｅＮＢ１０５−ａを介して１つまたは複数のデータおよび制御信号をネットワークに送信するおよび／またはネットワークから受信するためのトランシーバ３７０をさらに含み得る。トランシーバ３７０は、ハードウェア、ファームウェア、および／またはソフトウェアを備え得、メモリ（たとえば、コンピュータ読取可能な記憶媒体）に記憶された命令を実行するまたはコードを実行するように構成され得る。トランシーバ３７０は、モデム３８５を備える無線機３８０（たとえば、ＬＴＥ無線機）を含み得る。無線機３８０は、ｅＮＢ１０５−ａに信号を送信し、ｅＮＢ１０５−ａから信号を受信するための１つまたは複数のアンテナ３７５を利用し得る。
【００４３】
[0048]一般に、無線機３８０は、ＬＴＥオペレーションのために、ダウンリンク上では直交周波数分割多重（ＯＦＤＭ）を、アップリンク上では単一キャリア周波数分割多重（ＳＣ−ＦＤＭ）をサポートし得る。ＯＦＤＭおよびＳＣ−ＦＤＭは、システム帯域幅を、一般にトーン、ビン、等、とも呼ばれる複数の（Ｋ個の）直交サブキャリアに分割する。各サブキャリアはデータで変調され得る。一般に、ＯＦＤＭでは周波数ドメインで、ＳＣ−ＦＤＭでは時間ドメインで変調シンボルが送られる。隣接したサブキャリア間の間隔は固定であり得、サブキャリアの総数（Ｋ）はシステム帯域幅に依存し得る。たとえば、Ｋは、１．２５、２．５、５、１０、または２０メガヘルツ（ＭＨｚ）のシステム帯域幅に対して、それぞれ１２８、２５６、５１２、１０２４、または２０４８に等しいであろう。システム帯域幅はまた、サブバンドに分割され得る。たとえば、サブバンドは、１．０８ＭＨｚをカバーし得、１．２５、２．５、５、１０、または２０ＭＨｚのシステム帯域幅に対して、それぞれ１つ、２つ、４つ、８つ、または１６個のサブバンドが存在し得る。
【００４４】
[0049]上で説明したように、ＬＴＥはまた、拡張キャリアアグリゲーションを含むキャリアアグリゲーションを使用し得る。ＵＥ（たとえば、ＬＴＥアドバンスド対応のＵＥ）は、送信および／または受信のために使用される（５つのコンポーネントキャリアが使用されているとき）合計で最大１００ＭＨｚのキャリアアグリゲーションにおいて割り振られる最大２０ＭＨｚの帯域幅のスペクトルを使用し得る。しかしながら、拡張キャリアアグリゲーション（ｅＣＡ）の場合、サポートされ得るコンポーネントキャリアの数は、最大３２個である。ＬＴＥアドバンスド対応のワイヤレス通信システムの場合、連続キャリアアグリゲーション（ＣＡ）および非連続ＣＡという２つのタイプのＣＡ方法が提案されている。連続ＣＡは、複数の利用可能なコンポーネントキャリアが互いに隣接しているときに発生する。他方で、非連続ＣＡは、複数の隣接しない利用可能なコンポーネントキャリアが周波数帯域に沿って離れているときに発生する。非連続ＣＡおよび連続ＣＡの両方が、単一ユニットのＬＴＥアドバンスドのＵＥにサービス提供するために複数のコンポーネントキャリアをアグリゲートし得る。
【００４５】
[0050]図４は、図３におけるＤＡＩマネジャ３３２の態様を概念的に例示するブロック図である。ＤＡＩマネジャ３３２は、拡張キャリアアグリゲーションオペレーションにおけるＤＡＩの使用または管理を可能にするために、以下で説明される様々なスキームまたはメカニズムをサポートする。
【００４６】
[0051]１つのインプリメンテーションでは、異なるＤＡＩ解釈またはビット幅が、ＤＬグラントおよびＵＬグラントにおいて使用され得る。たとえば、トータルＤＡＩがＤＬグラントに導入されるとき、ＵＬグラントにおいて提供されるトータルＤＡＩについてとは異なる解釈が、ＤＬグラントにおいて提供されるトータルＤＡＩに対して使用され得る。ＤＬグラント中のトータルＤＡＩは、周波数および時間の両方にわたり得る（may be over both a frequency and a time）（たとえば、二次元カウンティング（two-dimensional counting）コードワードまたはダウンリンク割当ての数を示し得る。追加的に、そのようなトータルＤＡＩのビット幅は、少なくとも２ビットであり得る。追加のまたは代替のインプリメンテーションでは、ＵＬグラント中のトータルＤＡＩは、現在解釈されているのとは大きく異なって解釈される必要はない。たとえば、周波数分割複信（ＦＤＤ）キャリアだけを有するキャリアアグリゲーションでは、ＵＬグラント中のトータルＤＡＩは、導入されない。すなわち、トータルＤＡＩは、ＵＬグラントにおいて示されない。時分割複信（ＴＤＤ）キャリアを有するキャリアアグリゲーションでは、ＤＡＩは、時間ドメイン割当てを示し得、ＵＬグラント中のＤＡＩについてビット幅に変化はないであろう。すなわち、現在使用されているビット数が使用され得る。換言すると、ＤＡＩは、いくつのサブフレームがスケジュールされているかを示し得るが、サブフレーム中の異なるコンポーネントキャリアにわたって割当てがいくつであるかについてのカウントまたは数は示し得ない。ＦＤＤおよびＴＤＤキャリアを有するキャリアアグリゲーションでは、ＴＤＤキャリアが物理アップリンク制御チャネル（ＰＵＣＣＨ）セルとして使用されるときには、（キャリアアグリゲーションのあるＴＤＤのケースと同様に）２ビットＤＡＩが定義され得るか、または、ＴＤＤキャリアがＰＵＣＣＨとして使用されるとき、ＤＡＩは示されない。
【００４７】
[0052]別のインプリメンテーションでは、設定(configured)コンポーネントキャリア（ＣＣ）の数または設定(configured)ＡＣＫ／ＮＡＣＫペイロードサイズに依存して異なるＤＡＩ解釈が存在し得る。たとえば、ＤＡＩビット幅は、異なる数の設定ＣＣについて異なって解釈され得る。設定ＣＣの数が小さい（たとえば、しきい値より少ない）とき、ＤＡＩは、スケジュールされるコードワードの数を示し得る。設定ＣＣの数が大きい（たとえば、しきい値以上である）とき、ＤＡＩは、スケジュールされるＣＣおよび／またはサブフレームの数を示し得る。いくつかのケースでは、しきい値は、約８個のＣＣであり得る。別の例では、設定ＣＣの数にかかわらず、同じＤＡＩビット幅が使用され得る。異なるＤＡＩ解釈は、ＣＣが単一入力多出力（ＳＩＭＯ）（たとえば、１ビット）であるか多入力多出力（ＭＩＭＯ）（たとえば、２ビット）であるかを考慮に入れ得る。たとえば、ある態様では、ＤＡＩビット幅が３であり、かつ、設定ＣＣの数が８より小さいとき、ＤＡＩは、スケジュールされるコードワードの数を示すと解釈され得る。設定ＣＣの数が８以上である場合、ＤＡＩは、スケジュールされるＣＣ／サブフレームの数を示すと解釈され得る。
【００４８】
[0053]さらに別のインプリメンテーションでは、ＤＡＩビット幅は、設定ＣＣの数、これらＣＣ用に設定された送信モード、および各ＣＣのダウンリンクアソシエーションセットサイズ（たとえば、ＨＡＲＱフィードバックのためのＵＬサブフレームに関連付けられたＤＬサブフレームの数）のうちの少なくとも２つに依存し得る。一般に、ＤＡＩビット幅は、トータル（total:総）ＨＡＲＱペイロードサイズに依存し得る。たとえば、いくつかの態様では、ペイロードサイズが２２ビット以下であるとき、ＤＡＩビット幅は２ビットであり得る。ペイロードサイズが２３〜４８ビットであるとき、ＤＡＩビット幅は３ビットであり得、ペイロードサイズが４９〜９６ビットであるとき、ＤＡＩビット幅は４ビットであり得、ペイロードサイズが９６ビットより大きいとき、ＤＡＩビット幅は５ビットであり得る。追加のまたはオプションの態様では、ＤＡＩビット幅は、ＰＵＣＣＨフォーマットに依存し得る。たとえば、ＰＵＣＣＨフォーマット４（たとえば、ＨＡＲＱに対して大容量）がＵＥに対して構成される場合、３ビットＤＡＩが想定され得る。ＰＵＣＣＨフォーマット５（たとえば、ＨＡＲＱに対して低容量）がＵＥに対して構成される場合、２ビットＤＡＩが想定され得る。
【００４９】
[0054]さらに別のスキームまたはメカニズムでは、ＨＡＲＱフィードバックに使用されるＨＡＲＱペイロードサイズ粒度は、トータルＤＡＩが存在するかどうかに依存し得る。すなわち、ＤＬグラント中にトータルＤＡＩが存在せず、かつ、ＵＬグラントが存在しない（ゆえに、ＵＬグラントからのトータルＤＡＩがない）場合、ＵＥは、検出されたスケジュールされるサブフレーム（Ｎ＿ＨＡＲＱ）を、ＨＡＲＱペイロードサイズの第１のセットと比較することに基づいて、ＨＡＲＱペイロードサイズを決定し得る（たとえば、図５中の、ＨＡＲＱペイロードサイズの第１のテーブルに対応するセット５００参照）。たとえば、Ｎ＿ＨＡＲＱが４１であるとき、ＵＥは、ＨＡＲＱペイロードサイズが４８であることをセット５００から決定し得、なぜなら、これが４１未満でないセット５００のテーブル中の最小の粒度またはエントリであるからである。したがって、ＵＥは、７ビットが使われないことになり得るとしても、ＨＡＲＱフィードバックを提供するために、４８のＨＡＲＱペイロードサイズを選択し得る。しかしながら、ＵＬグラントからのトータルＤＡＩまたはＤＬグラントからのトータルＤＡＩが存在するとき、異なるセットまたはテーブルが使用され得る（たとえば、図５中の、ＨＡＲＱペイロードサイズの第２のテーブルに対応するセット５１０参照）。このケースでは、ＵＬグラントからの２ビットＤＡＩが、０１の値を示す場合、それは、２８、４４、６０、７６、または１０４のＨＡＲＱペイロードサイズが使用され得ることを意味し得る。ＵＥが、Ｎ＿ＨＡＲＱが４１であることを検出したので、ＵＥは、ＨＡＲＱペイロードサイズが４４となることを決定し得、なぜなら、これが４１未満でないセット５１０のテーブル中の最小の粒度またはエントリであるからである。この例では、より多くの粒度を有するＨＡＲＱペイロードサイズのテーブルまたはセットを使用することで、４ビットの節約が可能であり得る。
【００５０】
[0055]ＤＡＩマネジャ３３２は、上で説明し、以下で詳細に説明する、スキームまたはメカニズムの各々をサポートするように構成され得る。これらのスキームまたはメカニズムが互いから独立してインプリメントされ得ること、これらのスキームまたはメカニズムのうちの２つ以上がまとめてインプリメントされ得ること、および／または、これらのスキームまたはメカニズムのうちの２つ以上からの態様が組み合わせられ得ることは理解されるべきである。この点について、ＤＡＩマネジャ３３２は、ＤＡＩ識別器４４０およびＤＡＩインタプリタ４５０を含み得る。ＤＡＩマネジャ３３２はまた、オプションで、ＨＡＲＱペイロードサイズセレクタ４６０を含み得る。いくつかの事例では、ＨＡＲＱペイロードサイズセレクタ４６０の態様は、少なくとも部分的に、図３に示されるＨＡＲＱマネジャ３３４によりインプリメントされ得る。
【００５１】
[0056]ＤＡＩ識別器４４０は、ＤＡＩビット幅４４４を有する第１のＤＡＩ４４２を識別するように構成され得る。第１のＤＡＩ４４２は、トータルＤＡＩであり得る。第１のＤＡＩ４４２は、たとえば、ｅＮＢ１０５−ａから、ダウンリンクグラントを介して受信され得る。ＤＡＩ識別器４４０は、ＤＡＩビット幅４４８を有する第２のＤＡＩ４４６をオプションで識別するように構成され得る。第２のＤＡＩ４４６は、トータルＤＡＩであり得る。第２のＤＡＩ４４６は、たとえば、ｅＮＢ１０５−ａから、アップリンクグラントを介して受信され得る。第１のＤＡＩ４４２および第２のＤＡＩ４４６が両方ともトータルＤＡＩであるとき、第１のＤＡＩ４４２のビット幅値は、第２のＤＡＩ４４６のビット幅値とは異なり得る。
【００５２】
[0057]ＤＡＩインタプリタ４５０は、拡張キャリアアグリゲーションにおけるＤＡＩ管理のために、本明細書で説明される解釈および／または定義の様々な態様をインプリメントするように構成され得る。一態様では、ＤＡＩインタプリタ４５０は、ＤＡＩが、スケジュールされたコードワードの数を示すか、代わりに、スケジュールされたコンポーネントキャリアおよび／またはサブフレームの数を示すかを決定するために、設定ＣＣの数をしきい値４５４と比較するように構成された比較器４５２をオプションで含み得る。
【００５３】
[0058]ＨＡＲＱペイロードサイズセレクタ４６０は、被スケジュール（scheduled）サブフレーム検出器４６２を使用して、スケジュールされたフレーム（Ｎ＿ＨＡＲＱ）を検出し、ＨＡＲＱペイロードサイズ４６４の複数のセット（たとえば、図５中のセット５００および５１０参照）からＨＡＲＱペイロードサイズのセットを識別し、検出されたスケジュールされたフレームに基づいて、識別されたセットからＨＡＲＱペイロードサイズ４６６を選択するように構成され得る。ＨＡＲＱペイロードサイズに対応する、図５に示されるセットまたはテーブルが限定ではなく例示のために提供されることは理解されるべきである。
【００５４】
[0059]図６は、ある態様での、ワイヤレス通信システム６００を説明し、これは、図１のワイヤレス通信システム１００の一部を表し得る。ワイヤレス通信システム６００は、少なくとも１つのネットワークエンティティ、この例では、ｅＮＢ１０５−ａ、の通信カバレッジ内に少なくとも１つのＵＥ１１５−ａを含む。ＵＥ１１５−ａは、ｅＮＢ１０５−ａを介してネットワークと通信し得る。すなわち、ＵＥ１１５−ａは、アップリンクデータチャネルおよび／またはダウンリンクデータチャネル、等であるがそれらに限定されないアップリンク通信チャネル（または、単にアップリンクチャネル）およびダウンリンク通信チャネル（または、単にダウンリンクチャネル）を含み得る１つまたは複数の通信リンクまたはチャネル１２５を介して、ｅＮＢ１０５−ａにワイヤレス通信を送信し得、および／または、ｅＮＢ１０５−ａからワイヤレス通信を受信し得る。そのようなワイヤレス通信は、データ、オーディオ、および／またはビデオ情報を含み得るがそれらに限定されるわけではない。
【００５５】
[0060]図６を参照すると、本開示にしたがって、ｅＮＢ１０５−ａは、メモリ６４４と、１つまたは複数のプロセッサ６２０と、トランシーバ６７０とを含み得る。メモリ６４４、１つまたは複数のプロセッサ６２０、およびトランシーバ６７０は、バス６１１を介して内部で通信し得る。いくつかの例では、メモリ６４４および１つまたは複数のプロセッサ６２０は、同じハードウェアコンポーネントの一部であり得る（たとえば、同じ基板、モジュール、または集積回路の一部であり得る）。代替的に、メモリ６４４および１つまたは複数のプロセッサ６２０は、互いに連動し得る別個のコンポーネントであり得る。いくつかの態様では、バス６１１は、ｅＮＢ１０５−ａの複数のコンポーネントおよびサブコンポーネント間でデータを転送する通信システムであり得る。いくつかの例では、１つまたは複数のプロセッサ６２０は、モデムプロセッサ、ベースバンドプロセッサ、デジタルシグナルプロセッサ、および／または送信プロセッサのうちの任意の１つまたは組合せを含み得る。追加的にまたは代替的に、１つまたは複数のプロセッサ６２０は、本明細書で説明された１つまたは複数の方法、プロシージャ、またはスキームを実行するための通信コンポーネント６３０を含み得るか、その機能性をインプリメントし得る。通信コンポーネント６３０およびそのサブコンポーネントの各々は、ハードウェア、ファームウェア、および／またはソフトウェアを備え得、メモリ（たとえば、コンピュータ読取可能な記憶媒体）に記憶された命令を実行するようにまたはコードを実行するように構成され得る。通信コンポーネント６３０は、図７を参照して以下でより詳細に説明されるＤＡＩマネジャ６３２と、ｅＮＢ１０５−ａでのＨＡＲＱオペレーションの様々な態様を管理するように構成され得、ＨＡＲＱオペレーションを実行するためにＤＡＩマネジャ６３２と協力および／または調整し得るＨＡＲＱマネジャ６３４とを含み得る。
【００５６】
[0061]いくつかの例では、ｅＮＢ１０５−ａは、たとえば、本明細書で使用されるデータ、および／または、１つまたは複数のプロセッサ６２０によって実行されている通信コンポーネント６３０および／またはそれのサブコンポーネントのうちの１つまたは複数に関連付けられたアプリケーションのローカルバージョンを記憶するためのメモリ６４４を含み得る。メモリ６４４は、ランダムアクセスメモリ（ＲＡＭ）、読取り専用メモリ（ＲＯＭ）、テープ、磁気ディスク、光ディスク、揮発性メモリ、不揮発性メモリ、およびそれらの任意の組合せのような、コンピュータまたはプロセッサ６２０によって使用可能な任意のタイプのコンピュータ読取可能な媒体を含むことができる。ある態様では、たとえば、メモリ６４４は、ｅＮＢ１０５−ａが、通信コンポーネント６３０および／またはそのサブコンポーネントのうちの１つまたは複数を実行するためにプロセッサ６２０をオペレートしているとき、通信コンポーネント６３０および／またはそのサブコンポーネントのうちの１つまたは複数を定義する１つまたは複数のコンピュータ実行可能なコードおよび／またはそれらに関連付けられたデータを記憶するコンピュータ読取可能な記憶媒体（たとえば、非一時的な媒体）であり得る。いくつかの例では、ｅＮＢ１０５−ａは、ＵＥ１１５−ａを介して１つまたは複数のデータおよび制御信号をネットワークに送信するおよび／またはネットワークから受信するためのトランシーバ６７０をさらに含み得る。トランシーバ６７０は、ハードウェア、ファームウェア、および／またはソフトウェアを備え得、メモリ（たとえば、コンピュータ読取可能な記憶媒体）に記憶された命令を実行するまたはコードを実行するように構成され得る。トランシーバ６７０は、モデム６８５を備える無線機６８０（たとえば、ＬＴＥ無線機）を含み得る。無線機６８０は、ＵＥ１１５−ａに信号を送信し、ＵＥ１１５−ａから信号を受信するための１つまたは複数のアンテナ６７５を利用し得る。無線機６８０およびモデム６８５は、図３を参照して上で説明した無線機３８０およびモデム３８５と実質的に同じ機能性を提供し得る。
【００５７】
[0062]図７は、図７におけるＤＡＩマネジャ６３２の態様を概念的に例示するブロック図である。ＤＡＩマネジャ６３２は、拡張キャリアアグリゲーションオペレーションにおけるＤＡＩの使用または管理を可能にするために本明細書で説明された様々なスキームまたはメカニズムをサポートし得る。ＤＡＩマネジャ６３２は、ＤＡＩをＵＥに通信するための１つまたは複数のＤＡＩビット幅および／またはビット幅値を決定するように構成されたＤＡＩデタミナ７４０を含み得る。一例では、ＤＡＩデタミナ７４０は、ＤＡＩビット幅７４４を有する第１のＤＡＩ７４２を決定し得る。第１のＤＡＩ７４２は、トータルＤＡＩであり得、ＤＬグラントを介してＵＥ（たとえば、ＵＥ１１５−ａ）に通信され得る。ＤＡＩデタミナ７４０は、ＤＡＩビット幅７４８を有する第２のＤＡＩ７４６をオプションで決定し得る。第２のＤＡＩ７４６は、トータルＤＡＩであり得、ＵＬグラントを介してＵＥに通信され得る。第１のＤＡＩ７４２および第２のＤＡＩ７４６が両方ともトータルＤＡＩであるとき、第１のＤＡＩ７４２のビット幅値は、第２のＤＡＩ７４６のビット幅値とは異なり得る。
【００５８】
[0063]追加の態様では、ＤＡＩデタミナ７４０は、設定コンポーネントキャリア（ＣＣ）７５０の数と追加パラメータ７６０のうちの少なくとも１つとに基づいて、ＤＡＩのビット幅（たとえば、第１のＤＡＩ７４２のＤＡＩビット幅７４４または第２のＤＡＩ７４６のＤＡＩビット幅７４８）を決定するようにさらに構成され得る。追加のパラメータ７６０は、上で説明したように、送信モード７６２、ＤＬアソシエートセットサイズ７６４、トータルＨＡＲＱペイロードサイズ７６６、またはＰＵＣＣＨフォーマット７６８のうちの少なくとも１つを含み得る。
【００５９】
[0064]図８および９は、本開示の様々な態様にかかる、拡張キャリアアグリゲーションにおけるＤＡＩ管理のための方法の例を概念的に例示するフロー図である。以下に説明される動作は、特定の順序でおよび／または例示的なコンポーネントによって実行されるものとして提示されるが、これらのアクションの順序およびこれらのアクションを実行するコンポーネントが、そのインプリメンテーションに依存して変えられ得ることは理解されるべきである。また、通信コンポーネント３３０および６３０は、多数のサブコンポーネントを有するように例示されるが、例示されたサブコンポーネントのうちの１つまたは複数が、通信コンポーネント３３０および６３０とおよび／または互いに通信状態にありつつも、それらから離れているであろうことは理解されるべきである。さらに、通信コンポーネント３３０および６３０および／またはそれのサブコンポーネントに関して以下で説明されるアクションまたはコンポーネントのうちの任意のものは、特別にプログラムされたプロセッサ、特別にプログラムされたソフトウェアまたはコンピュータ読取可能な媒体を実行するプロセッサによって、あるいは、説明されたアクションまたはコンポーネントを実行するために特別に構成されたソフトウェアコンポーネントおよび／またはハードウェアコンポーネントの任意の他の組合せによって、実行され得ることは、理解されるべきである（図３〜７参照）。
【００６０】
[0065]図８を参照すると、ある態様では、ブロック８１０において、方法８００は、ユーザ機器（ＵＥ）においておよび基地局から、コードワードまたはＤＬ割当ての総数を示すＤＡＩを受信することを含む。たとえば、ある態様では、ＵＥ１１５−ａおよび／またはＤＡＩマネジャ３３２は、（基地局１０５−ａから）コードワードまたはＤＬ割当ての総数を示すＤＡＩをＵＥ１１５−１においておよび基地局１０５−１から受信するための、特別にプログラムされたプロセッサモジュールまたはメモリに記憶されている特別にプログラムされたコードを実行するプロセッサのようなＤＡＩ識別器４４０を含み得る。すなわち、ＵＥ１１５−１は、基地局１０５−１から、ＤＬグラントにおいてＤＡＩ４４２をおよび／またはＵＬグラントにおいてＤＡＩ４４６を受信し得る。
【００６１】
[0066]ブロック８２０において、方法８００は、ＤＡＩが基地局からＤＬグラントにおいて受信されたかアップリンク（ＵＬ）グラントにおいて受信されたかに少なくとも基づいて、ＵＥにおいて、基地局から受信されたＤＡＩを解釈することを含む。たとえば、ある態様では、ＵＥ１１５−ａおよび／またはＤＡＩマネジャ３３２は、ＤＡＩが基地局からＤＬグラントにおいて受信されたかＵＬグラントにおいて受信されたかに少なくとも基づいて、ＵＥ１１５−ａにおいて、基地局１０５−ａから受信されたＤＡＩ（たとえば、ＤＡＩ４４２またはＤＡＩ４４６）を解釈するための、特別にプログラムされたプロセッサモジュールまたはメモリに記憶されている特別にプログラムされたコードを実行するプロセッサのようなＤＡＩインタプリタ４５０を含み得る。
【００６２】
[0067]１つのインプリメンテーションでは、たとえば、ＵＥ１１５−ａは、ＤＬグラントにおいて基地局１０５−ａからＤＡＩ４４２を受信し得る。ＤＡＩ識別器４４０は、ＤＡＩが、基地局１０５−ａからのコードワードまたはＤＬ割当ての総数を示すことを識別し得る。コードワードまたはＤＬ割当ての総数は、周波数および時間の両方にわたり（たとえば、二次元カウンティングtwo-dimensional counting）得る。ＤＡＩ４４２に関連付けられたビット幅４４４は、少なくとも２であり得る。追加的に、ＤＬグラント中のＤＡＩ４４２の存在は、少なくとも、拡張キャリアアグリゲーション中のキャリアの数に基づき（依存し）得る。たとえば、ＤＡＩ４４２は、キャリアの数がしきい値、たとえば５、を上回るとき、ＤＬグラント中に存在し得る。たとえば、ＤＡＩ４４２は、ｅＣＡ中のキャリアの数が５以上であるとき、ＤＬグラント中に存在し得る。さらに、ＤＡＩインタプリタ４５０は、１つより多くのＰＵＣＣＨグループがＵＥにおいて識別される場合、別個にＤＡＩを解釈し得る。
【００６３】
[0068]別のインプリメンテーションでは、たとえば、ＵＥ１１５−ａは、ＵＬグラントにおいて基地局１０５−ａからＤＡＩ４４６を受信し得る。ＤＡＩ識別器４４６は、ＤＡＩ４４６が、基地局１０５−ａからのコードワードまたはＤＡＩ割当ての総数を示すことを識別し得る。コードワードまたはＤＬ割当ての総数は、時間にわたり得る（may be over a time）。ある態様では、ＤＡＩ４４６は、ｅＣＡがＦＤＤ ＣＣだけを含むとき、ＵＬグラントに含まれないであろう。追加の態様では、ｅＣＡがＴＤＤ ＣＣだけを含むとき、ＤＡＩ４４６は、ｅＣＡの少なくとも１つのキャリアについて、時間上の(over a time)コードワードまたはＤＬ割当ての総数を示し得る。さらなる追加のまたはオプションの態様では、ｅＣＡがＦＤＤ ＣＣおよびＴＤＤ ＣＣの両方を含む場合、ＤＡＩ４４６は、ＴＤＤ ＣＣがＰＵＣＣＨセルとして構成されるとき、２のＤＡＩビット幅４４８で受信され得る。代替的に、ＤＡＩ４４６は、ＦＤＤ ＣＣがＰＵＣＣＨセルとして構成されるとき、受信されないであろう。
【００６４】
[0069]図９を参照すると、ある態様では、ブロック９１０において、方法９００は、基地局において、ＤＡＩをＤＬグラントにおいて送信するかアップリンク（ＵＬ）グラントにおいて送信するかを決定することを含み、ここにおいて、ＤＡＩは、コードワードまたはＤＬ割当ての総数を示す。たとえば、ある態様では、基地局１０５−ａおよび／またはＤＡＩマネジャ６３２は、基地局１０５−ａにおいて、ＤＡＩをＤＬグラントにおいて送信するかアップリンク（ＵＬ）グラントにおいて送信するかを決定するための、特別にプログラムされたプロセッサモジュールまたはメモリに記憶されている特別にプログラムされたコードを実行するプロセッサのようなＤＡＩデタミナ７４０を含み得、ここにおいて、ＤＡＩは、コードワードまたはＤＬ割当ての総数を示す。たとえば、基地局１０５−ａが、ＤＬグラントにおいてＤＡＩを送信すると決定すると、基地局１０５−ａは、ビット幅７４４を有するＤＡＩ７２４を送信し得、および／または、基地局１０５−ａがＵＬグラントにおいてＤＡＩを送信すると決定すると、基地局１０５−ａは、ビット幅７４８を有するＤＡＩ７４６を送信し得る。
【００６５】
[0070]ブロック９２０において、方法９００は、この決定に基づいて、基地局から、１つまたは複数のユーザ機器（ＵＥ）にＤＬグラントまたはＵＬグラントにおいてＤＡＩを送信することを含む。たとえば、ある態様では、基地局１０５−ａおよび／またはＤＡＩマネジャ６３２は、この決定に基づいて、基地局１０５−ａから、１つまたは複数のＵＥ１１５−ａに、ＤＬグラントにおいてＤＡＩ７４２および／またはＵＬグラントにおいてＤＡＩ７４６を送信するための、特別にプログラムされたプロセッサモジュールまたはメモリに記憶されている特別にプログラムされたコードを実行するプロセッサのようなＤＡＩ送信機７８０を含み得る。追加の態様では、ＤＡＩマネジャ６３２は、設定ＣＣの各々の送信モード、設定ＣＣの各々についてのＤＬアソシエートセットサイズ７６４、トータルＨＡＲＱペイロードサイズ７６６、および／またはＤＡＩを決定および／またはＵＥに送信するためのＰＵＣＣＨフォーマット７６８のうちの１つまたは複数を考慮し得る。
【００６６】
[0071]いくつかの態様では、装置または装置の任意のコンポーネントは、本明細書で教示された機能性を提供するように構成され得る（または、動作可能であり得るまたは適応され得る）。これは、たとえば、装置またはコンポーネントを、それが機能性を提供することになるように製造する（たとえば、作る）ことによって、装置またはコンポーネントを、それが機能性を提供することになるようにプログラミングすることによって、または何らかの他の適切なインプリメンテーション技法の使用を通して、達成され得る。１つの例として、集積回路は、必須の機能性を提供するように作られ得る。別の例として、集積回路は、必須の機能性をサポートするように作られ、そして必須の機能性を提供するように（たとえば、プログラミングを介して）構成され得る。さらに別の例として、プロセッサ回路は、必須の機能性を提供するためのコードを実行し得る。
【００６７】
[0072]たとえば、「第１の」、「第２の」等のような指定（designation）を用いた本明細書における要素へのいずれの参照も、一般には、これら要素の数量または順序を限定しないことは理解されるべきである。むしろ、これらの指定は、２つ以上の要素または要素の事例の間で区別する便利な方法として本明細書で使用され得る。ゆえに、第１および第２の要素への参照は、２つの要素しか用いられない可能性があること、または、第１の要素がなんらかの形で第２の要素に先行しなければならないことを意味しない。さらに、別途述べられない限り、要素のセットは、１つまたは複数の要素を備え得る。加えて、本明細書または特許請求の範囲において使用されている「Ａ、Ｂ、またはＣのうちの少なくとも１つ」、または「Ａ、Ｂ、またはＣのうちの１つまたは複数」、または「Ａ、Ｂ、およびＣから成るグループのうちの少なくとも１つ」という形式の用語は、「ＡまたはＢまたはＣまたはこれら要素の任意の組合せ」を意味する。たとえば、この用語は、Ａ、またはＢ、またはＣ、またはＡおよびＢ、またはＡおよびＣ、またはＡおよびＢおよびＣ、または２Ａ、または２Ｂ、または２Ｃ、等を含み得る。
【００６８】
[0073]当業者であれば、情報および信号が多種多様な技術および技法のうちの任意のものを使用して表され得ることを認識するであろう。たとえば、上の説明全体にわたって参照され得るデータ、命令、コマンド、情報、信号、ビット、シンボル、およびチップは、電圧、電流、電磁波、磁場または磁性粒子、光場または光粒子、またはこれらの任意の組合せによって表され得る。
【００６９】
[0074]さらに、当業者であれば、本明細書に開示された態様に関連して説明された実例となる様々な論理ブロック、モジュール、回路、およびアルゴリズムステップが、電子ハードウェア、コンピュータソフトウェア、または両者の組合せとしてインプリメントされ得ることを認識するであろう。このハードウェアとソフトウェアとの互換性を明確に例示するために、実例となる様々なコンポーネント、ブロック、モジュール、回路、およびステップが、概してそれらの機能性の観点から上で説明されている。このような機能性がハードウェアとしてインプリメントされるかソフトウェアとしてインプリメントされるかは、特定の用途とシステム全体に課せられる設計制約とに依存する。当業者は、説明した機能性を特定の用途ごとに様々な方法でインプリメントし得るが、このようなインプリメンテーションの決定は、本開示の範囲からの逸脱をさせるものとして解釈されるべきでない。
【００７０】
[0075]本明細書に開示された態様に関連して説明された方法、シーケンス、および／またはアルゴリズムは、直接ハードウェアにおいて、プロセッサによって実行されるソフトウェアモジュールにおいて、またはこれら２つの組合せにおいて具現化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形式の記憶媒体に存在し得る。例示的な記憶媒体は、プロセッサが記憶媒体から情報を読み取り、記憶媒体に情報を書き込むことができるように、プロセッサに結合される。代替的に、記憶媒体は、プロセッサに一体化され得る。
【００７１】
[0076]したがって、本開示の態様は、アンライセンススペクトルでの送信に関する動的な帯域幅管理のための方法を具現化するコンピュータ読取可能な媒体を含むことができる。したがって、本開示は、例示された例に限定されない。
【００７２】
[0077]前述の開示は実例となる態様を示すが、添付の特許請求の範囲によって定義される本開示の範囲から逸脱することなく様々な変更および修正が本明細書で行われ得ることに留意されたい。本明細書に説明された本開示の態様にかかる方法の請求項の機能、ステップ、および／またはアクションは、特定の順序で実行される必要はない。さらに、特定の態様は、単数形で説明され得るまたは特許請求され得るが、単数形への限定が明記されていない限り、複数形が考慮されている。
【図１】
2018535604.tif 000003
【図２】
2018535604.tif 000004
【図３】
2018535604.tif 000005
【図４】
2018535604.tif 000006
【図５】
2018535604.tif 000007
【図６】
2018535604.tif 000008
【図７】
2018535604.tif 000009
【図８】
2018535604.tif 000010
【図９】
2018535604.tif 000011
【国際調査報告】
2018535604.tif 000012
2018535604.tif 000013